(57)【特許請求の範囲】
【請求項１】
両側に開いて装置本体の開口部を開閉する一対の開閉部と、
前記装置本体に設けられたスイッチと、
前記装置本体に設けられ、前記スイッチの前記開口部側に設けられ、前記スイッチを遮蔽する遮蔽位置と非遮蔽位置とに移動可能とされると共に、付勢手段によって前記遮蔽位置に付勢された遮蔽部材と、
一方の前記開閉部に設けられた案内部と、
他方の前記開閉部に移動可能に設けられ、前記一方の開閉部を閉鎖したのち前記他方の開閉部を閉鎖する閉鎖動作に伴い、前記一方の開閉部の前記案内部によって案内されて移動して前記遮蔽部材を前記遮蔽位置から前記非遮蔽位置に移動させると共に前記スイッチを操作する操作部と、
を備えることを特徴とするスイッチ機構。
【請求項２】
両側に開いて装置本体の開口部を開閉する一対の開閉部と、
前記装置本体に設けられたスイッチと、
前記装置本体に設けられ、前記スイッチの前記開口部側に設けられ、該スイッチを遮蔽する遮蔽部材と、
一方の前記開閉部に設けられた案内部と、
他方の前記開閉部に設けられ、前記一方の開閉部を閉鎖したのち前記他方の開閉部を閉鎖する閉鎖動作に伴い、前記一方の開閉部の前記案内部によって案内される操作部と、
前記操作部に設けられ、前記案内部によって前記操作部が案内されることで、前記遮蔽部材を迂回して前記スイッチを操作するスイッチ操作部と、
を備えることを特徴とするスイッチ機構。
【請求項３】
前記遮蔽部材には、前記スイッチの前記開口部側に設けられた第一遮蔽部と、該第一遮蔽部から延出すると共に孔が形成された第二遮蔽部と、が設けられ、
前記他方の開閉部を閉鎖する閉鎖動作に伴い、前記案内部によって前記操作部が案内されることで、前記スイッチ操作部が第二遮蔽部の前記孔を通ると共に前記第一遮蔽部を迂回して前記スイッチを操作することを特徴とする請求項２に記載のスイッチ機構。
【請求項４】
前記操作部は、前記案内部によって案内される被案内部を有し、該被案内部と前記スイッチ操作部とが異なる方向に延びると共に、該被案内部と該スイッチ操作部との連結部で回転可能に、前記他方の開閉部に設けられ、
前記被案内部が前記案内部に案内されて前記スイッチ操作部が回転すると共に前記遮蔽部材を迂回し、前記スイッチを操作することを特徴とする請求項３に記載のスイッチ機構。
【請求項５】
記録媒体に画像を形成する画像形成部を有する装置本体と、
請求項１〜請求項４のいずれか１項に記載のスイッチ機構と、
備えることを特徴とする画像形成装置。
【発明の詳細な説明】
【技術分野】
【０００１】
スイッチ機構及び画像形成装置。
【背景技術】
【０００２】
開閉扉が開放された状態においてはインターロックスイッチがオフ状態とされ、開閉カバーが閉鎖されるとインターロックスイッチがオン状態とされるインターロック機構が知られている（例えば、特許文献１を参照）。
【０００３】
また、開閉扉が二枚で構成されている場合、両方の扉が閉まった時にのみ、インターロックスイッチがオン状態となるインターロック機構が知られている（例えば、特許文献２、特許文献３を参照）。
【特許文献１】特許第３３４１１１３号公報
【特許文献２】特開平９−１６７５３６号公報
【特許文献３】特開平５−１６５２６７公報
【発明の開示】
【発明が解決しようとする課題】
【０００４】
本発明は、開閉部が開放された状態において、スイッチを操作されにくくすることが目的である。
【課題を解決するための手段】
【０００５】
請求項１に記載のスイッチ機構は、両側に開いて装置本体の開口部を開閉する一対の開閉部と、前記装置本体に設けられたスイッチと、前記装置本体に設けられ、前記スイッチの前記開口部側に設けられ、前記スイッチを遮蔽する遮蔽位置と非遮蔽位置とに移動可能とされると共に、付勢手段によって前記遮蔽位置に付勢された遮蔽部材と、一方の前記開閉部に設けられた案内部と、他方の前記開閉部に移動可能に設けられ、前記一方の開閉部を閉鎖したのち前記他方の開閉部を閉鎖する閉鎖動作に伴い、前記一方の開閉部の前記案内部によって案内されて移動して前記遮蔽部材を前記遮蔽位置から前記非遮蔽位置に移動させると共に前記スイッチを操作する操作部と、を備えることを特徴としている。
【０００７】
請求項２に記載のスイッチ機構は、両側に開いて装置本体の開口部を開閉する一対の開閉部と、前記装置本体に設けられたスイッチと、前記装置本体に設けられ、前記スイッチの前記開口部側に設けられ、該スイッチを遮蔽する遮蔽部材と、一方の前記開閉部に設けられた案内部と、他方の前記開閉部に設けられ、前記一方の開閉部を閉鎖したのち前記他方の開閉部を閉鎖する閉鎖動作に伴い、前記一方の開閉部の前記案内部によって案内される操作部と、前記操作部に設けられ、前記案内部によって前記操作部が案内されることで、前記遮蔽部材を迂回して前記スイッチを操作するスイッチ操作部と、を備えることを特徴としている。
【０００８】
請求項３に記載のスイッチ機構は、前記遮蔽部材には、前記スイッチの前記開口部側に設けられた第一遮蔽部と、該第一遮蔽部から延出すると共に孔が形成された第二遮蔽部と、が設けられ、前記他方の開閉部を閉鎖する閉鎖動作に伴い、前記案内部によって前記操作部が案内されることで、前記スイッチ操作部が第二遮蔽部の前記孔を通ると共に前記第一遮蔽部を迂回して前記スイッチを操作することを特徴としている。
【０００９】
請求項４に記載のスイッチ機構は、前記操作部は、前記案内部によって案内される被案内部を有し、該被案内部と前記スイッチ操作部とが異なる方向に延びると共に、該被案内部と該スイッチ操作部との連結部で回転可能に、前記他方の開閉部に設けられ、前記被案内部が前記案内部に案内されて前記スイッチ操作部が回転すると共に前記遮蔽部材を迂回し、前記スイッチを操作することを特徴としている。
【００１０】
請求項５の画像形成装置は、記録媒体に画像を形成する画像形成部を有する装置本体と、請求項１〜請求項４のいずれか１項に記載のスイッチ機構と、備えることを特徴としている。
【発明の効果】
【００１１】
以上説明したように請求項１に記載のスイッチ機構によれば、本機構を有しない場合と比較して、開閉部が開放された状態において、例えば悪戯などによって、スイッチを操作されにくい、という優れた効果を有する。
【００１３】
請求項２に記載のスイッチ機構によれば、本機構を有しない場合と比較して、開閉部が開放された状態において、例えば悪戯などによって、スイッチを操作されにくい、という優れた効果を有する。
【００１４】
請求項３に記載のスイッチ機構によれば、簡単な機構で、開閉部が開放された状態において、スイッチを操作されにくい、という優れた効果を有する。
【００１５】
請求項４に記載のスイッチ機構によれば、簡単な機構で、開閉部が開放された状態において、スイッチを操作されにくい、という優れた効果を有する。
【００１６】
請求項５に記載の画像形成装置によれば、請求項１〜請求項４のいずれか１項に記載のスイッチ機構を有しない場合と比較して、開閉部が開放された状態において、スイッチを操作されにくい、という優れた効果を有する。
【発明を実施するための最良の形態】
【００１７】
本発明における第一実施形態について説明する。なお、図中の矢印ＵＰは装置上方向を示し、矢印ＦＲは装置前側方向を示し、矢印ＯＵＴは装置側面方向（装置幅方向外側方向）を示す。なお、装置前側方向及び装置側面方向は、説明をしやすいように便宜上のこのように規定するだけで、例えば、装置前側を手前側に配置しなければならない装置構成を意味するものではない。
【００１８】
また、イエロー（Ｙ）、マゼンタ（Ｍ）、シアン（Ｃ）、ブラック（Ｋ）の色毎に配設されているものについては、符号（数字）の後に「Ｙ」、「Ｍ」、「Ｃ」、「Ｋ」の英字が付されているものがある。なお、各色で区別する必要がない等場合は、Ｙ，Ｍ，Ｃ，Ｋを省略して説明する。
【００１９】
まず、画像形成装置１０の概要について図１及び図２を用いて説明する。
【００２０】
図１と図２に示すように、画像形成装置１０は、像保持体（感光体）２０Ｙ，２０Ｍ，２０Ｃ，２０Ｋ、クリーニングユニット１６Ｙ，１６Ｍ，１６Ｃ，１６Ｋ、現像ユニット１７Ｙ，１７Ｍ，１７Ｃ，１７Ｋ、画像データに基づいて像保持体２０Ｙ，２０Ｍ，２０Ｃ，２０Ｋにレーザ光を照射し静電電位の差による潜像を形成する光走査装置２４、定着装置３８等を有する画像形成部１１を収容する装置本体１２を有している。また、装置本体１２の装置前側に設けられた開口部８０を開放・閉鎖する第一開閉扉８２及び第二開閉扉８６を有している。
【００２１】
像保持体２０Ｙ，２０Ｍ，２０Ｃ，２０Ｋは、下からイエロー（Ｙ）、マゼンタ（Ｍ）、シアン（Ｃ）、ブラック（Ｋ）の順に鉛直方向に配設されている。また、各像保持体２０Ｙ，２０Ｍ，２０Ｃ，２０Ｋに対応して、クリーニングユニット１６Ｙ，１６Ｍ、１６Ｃ，１６Ｋ及び現像ユニット１７Ｙ，１７、Ｍ，１７Ｃ，１７Ｋも、下からイエロー（Ｙ）、マゼンタ（Ｍ）、シアン（Ｃ）、ブラック（Ｋ）の順に鉛直方向に配設されている。
【００２２】
現像ユニット１７は、現像ローラ２６等を備えている。現像ローラ２６は、像保持体２０と近接して（間隔を持って）対向するように配置され、この現像ローラ２６と像保持体２０との間に現像バイアス電圧が印加されるようになっている。これにより、現像ローラ２６と像保持体２０との間には現像バイアス電界が形成される。
【００２３】
クリーニングユニット１６には、像保持体２０の表面を一様に帯電する帯電ローラ２２やトナー像が転写された後の像保持体２０に摺接しその像保持体２０に残留するトナーをクリーニングするクリーニング部材２８等、が備えられている。なお、帯電ローラ２２は、像保持体２０に圧接され、これらの間に電圧が印加され、圧接部付近の微少間隙内で放電が生じることにより、像保持体２０の表面（周面）を一様に帯電する。
【００２４】
光走査装置２４は、レーザ光を像保持体２０の表面（周面）に走査させ、画像データに基づいた静電潜像を像保持体２０の表面（周面）上に形成する。
【００２５】
装置本体１２の装置前側部分には、上部の駆動ローラ３０と下部の従動ローラ３２とに張架された搬送ベルト３４が配設されており、その搬送ベルト３４の内面側で、駆動ローラ３０と従動ローラ３２の間の所定位置に、各色に対応した四つの転写ローラ３６Ｙ，３６Ｍ，３６Ｃ，３６Ｋが所定の間隔を隔てて各色に対応して配設されている。転写ローラ３６は、搬送ベルト３４を挟んで像保持体２０と対向されると共に転写バイアス電圧が印加され、像保持体２０との間に転写電界を形成する。
【００２６】
装置本体１２の上部には、定着装置３８が配設されている。定着装置３８は、互いの周面が対向して所定の圧力で圧接された加圧ローラ４０と加熱ローラ４２とを備えている。
【００２７】
定着装置３８の上方には、排紙ローラ対４３、４５が設けられている。また、装置本体１２の上面部には、記録用紙Ｐが排出される排紙部４４が設けられている。
【００２８】
装置本体１２の下部には、搬送部１３が設けられている。搬送部１３に給紙カセット４６が備えられている。この給紙カセット４６は、着脱可能（引き抜き可能）となっており、記録用紙Ｐを補給できるようになっている。また、給紙カセット４６の装置前側方向には、給紙ローラ対４８とレジストローラ対４９とが設けられている。
【００２９】
つぎに、上記構成の画像形成装置１０における画像形成プロセスについて説明する。
【００３０】
帯電ローラ２２によって像保持体２０の表面（周面）が一様に帯電される。そして、光走査装置２４からレーザ光（画像光）が像保持体２０の表面（周面）に走査され、画像データに基づいた静電潜像が像保持体２０の表面（周面）上に形成される。その後、現像ユニット１７によって現像され、像保持体２０の表面（周面）にトナー像が形成される。
【００３１】
一方、給紙ローラ対４８により、給紙カセット４６内から１枚ずつ記録用紙Ｐが取り出され、レジストローラ対４９によって所定のタイミングで搬送ベルト３４上に送られると共に、搬送ベルト３４によって吸着搬送される。
【００３２】
そして、搬送ベルト３４に吸着搬送されて通過する記録用紙Ｐ上に、像保持体２０の周面（表面）に形成された各色のトナー像が、転写ローラ３６によって転写される。これをイエロー（Ｙ）、マゼンタ（Ｍ）、シアン（Ｃ）、ブラック（Ｋ）の順に行うことで、記録用紙Ｐ上に各色のトナー像が重ね合わされ、フルカラートナー像（未定着像）が形成される。フルカラートナー像が形成された記録用紙Ｐは、搬送ベルト３４によって定着装置３８へ搬送される。
【００３３】
定着装置３８に搬送された記録用紙Ｐは、定着装置３８によって、未定着のフルカラートナー像が加熱・加圧されて定着される。定着装置３８によってフルカラートナー像が定着された記録用紙Ｐは、排紙ローラ対４３、４５によって排紙部４４に排出される。
【００３４】
なお、記録用紙Ｐへの各色のトナー像の転写終了後、像保持体２０の表面（周面）に残留する未転写トナーは、クリーニング部材２８によって除去される。
【００３５】
さて、図１と図２に示すように、前述したように、装置本体１２の開口部８０は、両側に開閉される一対の第一開閉扉８２及び第二開閉扉８６とで開放・閉鎖される。第一開閉扉８２は、装置本体１２の開口部８０の上部に回転軸８４を有し、この回転軸８４を軸心として回転されることで開閉される。一方、第二開閉扉８６は、装置本体１２の開口部８０の下部に回転軸８８を有し、この回転軸８８を軸心として回転されることで開閉される。
【００３６】
つぎに、第一実施形態のスイッチ機構１００（図１参照）について説明する。以下の実施例において、スイッチ機構はインターロックスイッチ機構となっており、規定された順番で操作されることで、スイッチがオンされる。なお、図３から図８においては、第一開閉扉８２及び第二開閉扉８６の図示を省略している。また、各部材の配置を模式的に図示している。
【００３７】
図１と図２とに示すように、装置本体１２の内部の側部（装置本体１２の装置側面側の内壁等）に、インターロックスイッチ１０２が設けられている。
【００３８】
図３に示すように、インターロックスイッチ１０２は、本体部１０６とレバー部１０４とで構成されている。レバー部１０４は一方（下端）の端部１０４Ａ（図３（Ｂ）参照）に設けられた回転軸１０４Ｂを軸心として回転することで、他端側（上端部側）が開閉する。なお、レバー部１０４は開いた状態となるように付勢されている。そして、この開いた状態（図２及び図３を参照）がオフ状態であり、レバー部１０４が押されて閉じられるとオン状態とされる（図１及び図６を参照）。また、インターロックスイッチ１０２のレバー部１０４は、装置前側（開口部８０側）から装置後方向に操作されて押されることで、閉じられオン状態となる。
【００３９】
インターロックスイッチ１０２がオン状態のとき、画像形成装置１０が動作可能とされ、オフ状態のときは画像形成装置１０の動作不可とされる。本実施形態においては、電源ラインにインターロックスイッチ１０２を設け、インターロックスイッチ１０２がオフ状態とされることで電源供給が遮断される。
【００４０】
インターロックスイッチ１０２の開口部８０側（装置前側）には、遮蔽部材１２０が設けられている。遮蔽部材１２０は、側面視で下方が開放側とされたコ字形状とされている。また、遮蔽部材１２０は、図３（及び図２）に示す遮蔽位置と図６（及び図１）に示す遮蔽位置よりも下方に位置する非遮蔽位置とに移動可能とされている。
【００４１】
また、遮蔽部材１２０は、装置本体１２（図１、図２参照）に固定された圧縮コイルバネ１２２によって上方に付勢され、第一開閉扉８２及び第二開閉扉８６が開放された状態で、遮蔽位置に付勢されている。なお、遮蔽部材１２０は、図３に示すように遮蔽位置においては、インターロックスイッチ１０２のレバー部１０４の上端１０４Ｃ（回転軸１０４Ｂが設けられた端部と反対側の端部）よりも上方に位置している。よって、開口部８０からはレバー部１０４の上端１０４Ｃは、遮蔽部材１２０の後に隠れて見えない。
【００４２】
また、図６に示すように非遮蔽位置においてはインターロックスイッチ１０２のレバー部１０４の上端よりも下方に位置する。
【００４３】
図１と図２とに示すように、第一開閉扉８２には、案内部１３０が設けられている。案内部１３０は、装置後側から見ると下方が開放側とされたコ字形状とされている（図３（Ａ）参照）。また、案内部１３０は、側面視において全体が略四角形状とされているが、第一開閉扉８２が閉鎖された状態（図１参照）における開口部８０側（装置前側）の下端の角部には、開口部８０側（装置前側）に向かうに従って上方に傾斜した傾斜面１３０Ａが形成されている。また、第一開閉扉８２が閉鎖された状態において、案内部１３０は、下面１３０Ｂが遮蔽位置にある遮蔽部材１２０の上面１２０Ａに接触する（図４を参照）。
【００４４】
図１と図２とに示すように第二開閉扉８６には、操作部１４０が設けられている。図３に示すように、操作部１４０は、全体が板形状をなし、第二開閉扉８６に対してほぼ垂直に配置されている。なお、側面視において、全体が略長方形状とされているが、第二開閉扉８６が閉鎖された状態（図１参照）における装置後側端部の上端の角部には、装置後側に向かうに従って下方に傾斜した傾斜面１４０Ａが形成されている。
【００４５】
図３に示すように、操作部１４０の根元部（開口部８０側（装置前側）の端部）は、第二開閉扉８６（図１、図２を参照）に設けられた一対の固定板部１５１，１５２の間に配置されている。また、操作部１４０の根元部には、装置幅方向に突出する軸部１４２を有している。この軸部１４２は、固定板部１５０に形成された長孔１５２に挿入されている。なお、長孔１５２は上下方向を長手方向として形成されている。また、軸部１４２は、装置幅方向端部が第二開閉扉８６に固定された引張コイルバネ１５４に引っ掛けられており、上方に付勢されている。なお、図３（Ａ）では、図における手前側しか図示されていないが、奥側も同様の構成である。
【００４６】
このような構成とされているので、操作部１４０の軸部１４２が長孔１５２に沿って上下動することで、操作部１４０全体が上下動可能とされる。なお、軸部１４２には回転止めがなされており、操作部１４０が不用意に回転しないように構成されている。
【００４７】
また、操作部１４０は、引張コイルバネ１５４で上方に付勢されている状態においては、遮蔽位置にある遮蔽部材１２０よりも上方に位置する。
【００４８】
つぎに、スイッチ機構１００の動作について、図４から図６を用いて詳しく説明する。なお、案内部１３０及び操作部１４０は、第一開閉扉８２及び第二開閉扉８６に設けられているので、実際は円弧軌道を描いて移動するが、判りやすくするため、直線的に移動させている。
【００４９】
まず、図４に示すように、上部の第一開閉扉８２（図１及び図２を参照）を閉鎖すると、案内部１３０が下方に移動し（矢印Ｍ１参照）、下面１３０Ｂが遮蔽位置にある遮蔽部材１２０の上面１２０Ａに接触する。
【００５０】
つぎに、図５に示すように、下部の第二開閉扉８６（図１及び図２を参照）を閉鎖する閉鎖操作に伴い、操作部１４０は装置後側方向に移動すると共に（矢印Ｌ１参照）、操作部１４０の傾斜面１４０Ａが案内部１３０の傾斜面１３０Ａに当り、傾斜面１３０Ａに沿って操作部１４０が移動する（矢印Ｌ２参照）。つまり、操作部１４０は、矢印Ｌ１と矢印Ｌ２とが合成された装置後側方向斜め下方に移動する。
【００５１】
そして、案内部１３０の下面１３０Ｂと遮蔽部材１２０の上面１２０Ａとの間に操作部１４０が入り込む。そして、操作部１４０の下方への移動（矢印Ｌ２を参照）に伴い遮蔽部材１２０が下方に押下げられる（矢印Ｎ１参照）。なお、操作部１４０が軸部に対して若干回転するように構成してもよく、操作部１４０の装置後側端部１４０Ｂが下方に下がるように回転しながら入り込む。
【００５２】
図６に示すように、第二開閉扉８６（図１、図２参照）が閉鎖されると（図１参照）、案内部１３０と遮蔽部材１２０との間に操作部１４０が全て入りむと共に、操作部１４０によって遮蔽部材１２０は非遮蔽位置まで押し下げられる。
【００５３】
操作部１４０の装置後側端部１４０Ｂが遮蔽部材１２０よりも装置後側に進む。そして、操作部１４０の装置後側端部１４０Ｂが、インターロックスイッチ１０２のレバー部１０４を開口部８０側（装置前側）から装置後方側に押し、インターロックスイッチ１０２がオン状態となる。
【００５４】
なお、図７に示すように、第一開閉扉８２（図１、図２参照）を閉鎖しないで、第二開閉扉８６（図１、図２を参照）を閉鎖すると、操作部１４０は遮蔽位置にある遮蔽部材１２０よりも上方に位置されるので、インターロックスイッチ１０２のレバー部１０４が押されない。つまり、インターロックスイッチ１０２をオン状態できない。
【００５５】
また、更に、この状態で第一開閉扉８２（図１、図２参照）を閉鎖しても、案内部１３０は操作部１４０を下方に押下げるが、インターロックスイッチ１０２のレバー部１０４は開口部８０側（装置前側）から装置後方向へと押されないので、インターロックスイッチ１０２がオン状態とされない。
【００５６】
つぎに、本発明の第二実施形態のスイッチ機構２００について説明する。なお、第一実施形態と同様、本実施例のスイッチ機構はインターロックスイッチ機構であり、図８から図１２においては、第一開閉扉８２及び第二開閉扉８６の図示を省略すると共に、各部材の配置を模式的に図示している。また、第一実施形態と同様の部材は同一の符号とし、重複する説明は省略する。なお、各図における（Ｂ）図は側面図であるが、遮蔽部材２２０のみ装置前後方向に沿った縦断図となっている。
【００５７】
図８に示すように、装置本体１２（図１、図２参照）の内部の側部には、インターロックスイッチ１０２が設けられている。なお、第一実施形態と同様に、インターロックスイッチ１０２のレバー部１０４は、下端部に回転軸１０４Ｂが設けられ、オフ状態においては上端部が開いた状態とされている。また、開口部８０側（装置前側）から装置後方向に操作され押されることで、レバー部１０４が閉じられオン状態となる。
【００５８】
インターロックスイッチ１０２の上方には、板状の遮蔽部材２２０が設けられている。遮蔽部材２２０は、インターロックスイッチ１０２の上方から開口部８０側（装置前側）に延びる上板２２２と、上板２２２の開口部８０側（装置前側）の端部から下側に延びる前板２２４と、で構成され、側面視においてＬ字形状をなしている。遮蔽部材２２０の上板２２２の下面には、インターロックスイッチ１０２が固定されている。なお、遮蔽部材２２０の前板２２４は、インターロックスイッチ１０２のレバー部１０４の開口部８０側（装置前側）に位置される。
【００５９】
また、上板２２２には、孔２２８が形成されている。孔２２８は、装置前側が幅広となった幅広部２２８Ａと装置後側方向を長手方向とする長方形状のスリット部２２８Ｂを有し、上方から平面視すると全体がＴ字形状をなしている。上板２２２の下面（孔２２８の装置後側）にインターロックスイッチ１０２が取り付けられている。
【００６０】
よって、インターロックスイッチ１０２は、上方と開口部８０側が遮蔽部材２２０で覆われている。したがって、開口部８０からはインターロックスイッチ１０２のレバー部１０４は、遮蔽部材２２０（の前板２２４）の後に隠れて見えない。更に、斜め上方から角度を大きくつけて見ようとしても遮蔽部材２２０の上板２２２で隠れて見えない（孔２２８を通しては見ることは可能）。
【００６１】
第一開閉扉８２（図１、図２参照）には、案内部１３０（第一実施形態と同様の構成）が設けられている。第一開閉扉８２が閉鎖された状態において（図１参照）、案内部１３０は下面１３０Ｂが遮蔽部材２２０の上板２２２の孔２２８の上方に位置する（図９参照）。また、傾斜面１３０Ａは、孔２２８よりも開口部８０側（装置前側）に位置する。
【００６２】
第二開閉扉８６（図１、図２参照）には、操作部２４０が設けられている。操作部２４０は下方が開放側とされた全体がへ字形状（上方が凸状とされた山形状）のアーム部２４２を有している。アーム部２４２の装置後側端部には、板状の操作板２４４が設けられている。なお、操作板２４４はアーム部２４２よりも幅広である。また、操作板２４４は遮蔽部材２２０の孔２２８の幅広部２２８Ａより幅狭であるが、スリット部２２８Ｂよりは幅広である。また、アーム部２４２はスリット部２２８Ｂよりも幅狭である。
【００６３】
アーム部２４２の凸状の頂点部には、装置幅方向を長手方向として配設されると共に、アーム部２４２よりも幅方向両側に突出した軸部２４６が設けられている。また、アーム部２４２の根元部（開口部８０側（装置前側）の端部）は、第二開閉扉８６（図１、図２参照）に設けられた固定部２５０の一対の固定板部２５２の間に配設されている。また、アーム部２４２の根元部には装置幅方向を長手方向として配設されると共に、アーム部２４２よりも両側に突出した軸部２４８が設けられている。この軸部２４８は固定板部１５２に形成された孔に挿入されることで、アーム部２４２が回転可能とされている。
【００６４】
したがって、操作部２４０は、軸部２４８を回転軸として操作板２４４が上下動可能（回転可能）とされている。なお、軸部２４８にはバネ２５４が巻きかけられており、このバネ２５４によって操作板２４４が上方に回転する回転方向にアーム部２４２が付勢されている。
【００６５】
つぎに、スイッチ機構２００の動作について、図９から図１１を用いて詳しく説明する。なお、案内部１３０及び操作部２４０は、実際は円弧軌道を描いて移動するが、判りやすくするため、直線的に移動させている。
【００６６】
図９に示すように、第一開閉扉８２（図１及び図２を参照）を閉鎖すると、案内部１３０が下方に移動し（矢印Ｍ１参照）、遮蔽部材２２０の孔２２８の上方に位置される。
【００６７】
つぎに、図１０に示すように、第二開閉扉８６（図１及び図２を参照）を閉鎖する閉鎖動作に伴い、操作部２４０は装置後側方向に移動し（矢印Ｌ１参照）、操作部２４０の操作板２４４が遮蔽部材２２０の前板２２４を越え、前板２２４よりも装置後側に移動する。
【００６８】
すると、操作部２４０の軸部２４６が案内部１３０の傾斜面１３０Ａに当る。そして、軸部２４６が案内部材１３０の傾斜面１３０Ａに沿って（装置後方側斜め下方に）移動することによって、操作板２４４が下方に移動するように回転する（矢印Ｌ３を参照）。また、この回転移動に伴い操作板２４４が遮蔽部材２２０の孔２２８の幅広部２２８Ａに挿入される。
【００６９】
その後、軸部２４６は、案内部１３０の下面１３０Ｂに沿って、すなわち略水平に移動する。このとき、操作板２４４の回転移動は止まり、操作板２４４は軸部２４６と同様に略水平に移動する。また、このとき、操作部２４０の操作板２４４は遮蔽部材２２０の下方に位置すると共に、アーム部２４２はスリット部２２８Ｂの中を通る。
【００７０】
図１１に示すように、第二開閉扉８６（図１、図２参照）が閉鎖されると（図１参照）、操作部２４０の操作板２４４がインターロックスイッチ１０２のレバー部１０４を開口部８０側（装置前側）から装置後方側に押し、インターロックスイッチ１０２がオン状態となる。
【００７１】
つまり、操作部２４０の操作板２４４が遮蔽部材２２０の前板２２４を迂回するように移動すると共に孔２２８を通って、インターロックスイッチ１０２をオン状態とする。
【００７２】
なお、図１２に示すように、第一開閉扉８２（図１、図２参照）を閉鎖しないで、第二開閉扉８６（図１、図２を参照）を閉鎖すると、操作部２４０は遮蔽部材２２０の上方に位置するので、インターロックスイッチ１０２のレバー部１０４が押されない。つまり、インターロックスイッチ１０２をオン状態できない。
【００７３】
また、更に、この状態で第一開閉扉８２（図１、図２参照）を閉鎖しても、操作板２４４は孔２２８のスリット部２２８Ｂよりも幅広であるので、案内部１３０は操作部２４０を遮蔽部材２２０の上板２２２よりも下方に押下げることができない。よって、インターロックスイッチ１０２はオン状態とされない。
【００７４】
つぎに、本発明の第三実施形態のスイッチ機構３００について説明する。なお、第一実施形態と同様、本実施例のスイッチ機構はインターロックスイッチ機構であり、図１３から図１７においては、第一開閉扉８２及び第二開閉扉８６の図示を省略すると共に、各部材の配置を模式的に図示している。また、第一実施形態と同様の部材は同一の符号とし、重複する説明は省略する。
【００７５】
図１３に示すように、装置本体１２（図１、図２参照）の内部の側部には、インターロックスイッチ３０２が設けられている。インターロックスイッチ３０２は、本体部３０６とレバー部３０４とで構成されている。レバー部３０４は一方（開口部８０側（装置前側）の端部１０４Ａ（図３（Ｂ）参照）に設けられた回転軸３０４Ｂを軸心として回転し、他方（装置後側）の端部３０４Ｃが開閉する。なお、レバー部３０４は開いた状態となるよう付勢されている。そして、この開いた状態（図１３を参照）がオフ状態であり、レバー部３０４が押されて閉じられるとオン状態とされる（図１６を参照）
【００７６】
なお、インターロックスイッチ３０２のレバー部３０４は、下方から上方に押されることで、閉じられオン状態となる。
【００７７】
インターロックスイッチ３０２の上方には、板状の遮蔽部材３２０が設けられている。遮蔽部材３２０は、インターロックスイッチ３０２の上方に配置された上板３２２と、上板３２２の開口部８０側（装置前側）の端部から下側に延びる前板３２４と、で構成され、側面視においてＬ字形状をなしている。なお、遮蔽部材３２０の前板３２４は、インターロックスイッチ３０２の開口部８０側（装置前側）に位置すると共に、下端は開いた状態（オフ状態）にあるレバー部３０４よりも下方に延びている。また、遮蔽部材３２０の上板２２２の下面には、インターロックスイッチ３０２が固定されている。
【００７８】
よって、インターロックスイッチ３０２は、上方と開口部８０側が遮蔽部材３２０で覆われている。したがって、開口部８０からはインターロックスイッチ３０２のレバー部３０４は、遮蔽部材３２０（の前板３２４）の後に隠れている。更に、斜め上方から角度を大きくつけて見ようとしても遮蔽部材３２０の上板３２２で隠れて見えない。
【００７９】
第一開閉扉８２（図１、図２参照）には、案内部３３０が設けられている。案内部３３０は、装置後側から見ると下方が開放側とされたコ字形状とされている（図１３（Ａ）参照）。また、案内部３３０は、側面視において全体が略四角形状とされている。また、第一開閉扉８２が閉鎖された状態において、案内部３３０は、遮蔽部材３２０の前板３２４の開口部８０側（装置前側）に位置する（図１４を参照）。
【００８０】
第二開閉扉８６には、操作部３４０が設けられている。操作部３４０は上方に延びる上腕部３４３Ａと下方に延びる下腕部３４４とを有し、装置後側が開放側とされた全体がく字形状（装置前側が凸状とされた形状）のアーム部３４２を備えている。アーム部３４２の上腕部３４３の先端側部分は下方に湾曲された先端部３４３Ａが形成されている。アーム部３４２の下腕部３４４の先端側部分は上方に湾曲された先端部３４４Ａが形成されている。なお、上腕部３４３の先端部３４３Ａの先端３４３Ｂよりも、下腕部３４４の先端部３４４Ａの先端３４４Ｂ方が装置後側に位置している。
【００８１】
操作部３４０のアーム部３４２の根元部（上腕部３４３と下腕部３４４との境界部（連結部）、くの字の頂点部分）が、第二開閉扉８６（図１、図２参照）の固定部３５０に回転可能に支持されている。したがって、操作部３４０のアーム部３４２は、先端側（装置後側）が上下動可能（回転可能）とされている。
【００８２】
つぎに、スイッチ機構３００の動作について、図１４から図１６を用いて詳しく説明する。なお、案内部３３０及び操作部３４０は、実際は円弧軌道を描いて移動するが、判りやすくするため、直線的に移動させている。
【００８３】
まず、図１４に示すように、第一開閉扉８２（図１及び図２を参照）を閉鎖すると、案内部３３０が下方に移動し（矢印Ｍ１参照）、遮蔽部材３２０の前板３２４の装置前側に位置される
【００８４】
つぎに、図１５に示すように、第二開閉扉８６（図１及び図２を参照）を閉鎖する閉鎖動作に伴い、操作部３４０は装置後側方向に移動し（矢印Ｌ１参照）、操作部３４０の下腕部３４４の先端部３４４Ａの先端３４４Ｂが遮蔽部材３２０前板３２４の下方を通過し、前板３２４よりも装置後側に移動する。なお、操作部３４０は、自重によって図１５の状態となるようにバランスされるように設計されているが、バネなどで図１５の状態となるように付勢してもよい。
【００８５】
そして、操作部３４０の上腕部３４３の先端３４３Ｂが、案内部３３０の装置前側の前壁３３０Ａに当り、操作部３４０は、全体が装置後側に移動しつつ、下腕部３４４の先端部３４４Ａの先端３４４Ｂが上方に移動するように回転する（矢印Ｌ４参照）。
【００８６】
図１６に示すように、第二開閉扉８６（図１、図２参照）が閉鎖されると（図１参照）、操作部３４０の上腕部３４４の先端３４４Ｂがインターロックスイッチ３０２のレバー部３０４を下方から上方に押してオン状態となる。
【００８７】
つまり、操作部３４０の下腕部３４４の先端３４４Ｂが遮蔽部材３２０の前板３２４を迂回するように移動してインターロックスイッチ３０２をオン状態とする。
【００８８】
なお、図１７に示すように、第一開閉扉８２（図１、図２参照）を閉鎖しないで、第二開閉扉８６（図１、図２を参照）を閉鎖すると、操作部３４０は回転されないので、インターロックスイッチ３０２のレバー部３０４が押されない。つまり、インターロックスイッチ１０２をオン状態できない。
【００８９】
また、更に、この状態で第一開閉扉８２（図１、図２参照）を閉鎖しても、操作部３４０の下腕部３４４の先端３４４Ｂが下方に回転するように回転する（矢印Ｌ５を参照）よって、インターロックスイッチ１０２はオン状態とされない。
【００９０】
なお、本実施形態は上記実施形態に限定されない。
【００９１】
例えば、上記実施形態では、フルカラー画像を形成する画像形成装置１０に適用したが、これに限定されない。モノクロ（白黒）画像を形成画像形成装置であってもよい。また、所謂、上記実施形態では、電子写真方式によって画像を形成したがこれに限定されない。他の方式で画像を形成する画像形成装置であってもよい。例えば、インクジェット記録方式や熱転写方式などで画像を形成する画像形成装置であってもよい。更に、画像形成装置以外の電子機器装置全般に本発明を適用することができる。
【００９２】
また、上記実施形態では、第一開閉扉８２を閉めてから第二開閉扉８６を閉めることで、インターロックスイッチ１０２、３０２がオン状態とされていたが、これに限定されない。第二開閉扉８６を閉めてから第一開閉扉８２を閉めることで、インターロックスイッチ１０２、３０２がオン状態とされる構成であってもよい。なお、この場合、第二開閉扉に案内部を設け第一開閉扉に操作部を設ける構成となる。さらには、第一開閉扉８２を閉めてから第二開閉扉８６を閉めることで、インターロックスイッチ１０２，３０２をオフ状態とするものであってもよい。
【００９３】
また、上記実施形態では、第一開閉扉８２と第二開閉扉８６とが上下に並んで配設されていたが、これに限定されない。例えば、一方の開閉部と他方の開閉部とが水平方向（装置幅方向に）並んで配設された、所謂、観音開きであってもよい。或いは、上部が開口した開口部を開閉する一方の開閉部と他方の開閉部とが設けられた構成であってもよい。
【図面の簡単な説明】
【００９４】
【図１】本発明の第一実施形態のスイッチ機構が設けられた画像形成装置の構成を示す概略側面図である。
【図２】図１の画像形成装置の第一開閉扉と第二開閉扉とが開放された状態を示す概略側面図である。
【図３】本発明の第一実施形態のスイッチ機構を模式的に示すと共に、第一開閉扉と第二開閉扉とが開いた（開放された）状態における、（Ａ）は斜視図であり、（Ｂ）は側面図である。
【図４】本発明の第一実施形態のスイッチ機構を模式的に示すと共に、図３の状態から第一開閉扉が閉められた（閉鎖された）状態における、（Ａ）は斜視図であり、（Ｂ）は側面図である。
【図５】本発明の第一実施形態のスイッチ機構を模式的に示すと共に、図４の状態から第二開閉扉が閉められている途中（閉鎖中）の状態における、（Ａ）は斜視図であり、（Ｂ）は側面図である。
【図６】本発明の第一実施形態のスイッチ機構を模式的に示すと共に、図５の状態から第二開閉扉が閉められた（閉鎖された）の状態における、（Ａ）は斜視図であり、（Ｂ）は側面図である。
【図７】本発明の第一実施形態のスイッチ機構を模式的に示すと共に、図３の状態から第一開閉扉が閉められずに（閉鎖されずに）、第二開閉扉が閉められた（閉鎖された）状態における、（Ａ）は斜視図であり、（Ｂ）は側面図である。
【図８】本発明の第二実施形態のスイッチ機構を模式的に示すと共に、第一開閉扉と第二開閉扉とが開いた（開放された）状態における、（Ａ）は斜視図であり、（Ｂ）は側面図である。
【図９】本発明の第二実施形態のスイッチ機構を模式的に示すと共に、図８の状態から第一開閉扉が閉められた（閉鎖された）状態における、（Ａ）は斜視図であり、（Ｂ）は側面図である。
【図１０】本発明の第二実施形態のスイッチ機構を模式的に示すと共に、図９の状態から第二開閉扉が閉められている途中（閉鎖中）の状態における、（Ａ）は斜視図であり、（Ｂ）は側面図である。
【図１１】本発明の第二実施形態のスイッチ機構を模式的に示すと共に、図１０の状態から第二開閉扉が閉められた（閉鎖された）の状態における、（Ａ）は斜視図であり、（Ｂ）は側面図である。
【図１２】本発明の第二実施形態のスイッチ機構を模式的に示すと共に、図８の状態から第一開閉扉が閉められずに（閉鎖されずに）、第二開閉扉が閉められた（閉鎖された）状態における、（Ａ）は斜視図であり、（Ｂ）は側面図である。
【図１３】本発明の第三実施形態のスイッチ機構を模式的に示すと共に、第一開閉扉と第二開閉扉とが開いた（開放された）状態における、（Ａ）は斜視図であり、（Ｂ）は側面図である。
【図１４】本発明の第三実施形態のスイッチ機構を模式的に示すと共に、図１３の状態から第一開閉扉が閉められた（閉鎖された）状態における、（Ａ）は斜視図であり、（Ｂ）は側面図である。
【図１５】本発明の第三実施形態のスイッチ機構を模式的に示すと共に、図１４の状態から第二開閉扉が閉められている途中（閉鎖中）の状態における、（Ａ）は斜視図であり、（Ｂ）は側面図である。
【図１６】本発明の第三実施形態のスイッチ機構を模式的に示すと共に、図１５の状態から第二開閉扉が閉められた（閉鎖された）の状態における、（Ａ）は斜視図であり、（Ｂ）は側面図である。
【図１７】本発明の第三実施形態のスイッチ機構を模式的に示すと共に、図１３の状態から第一開閉扉が閉められずに（閉鎖されずに）、第二開閉扉が閉められた（閉鎖された）状態における、（Ａ）は斜視図であり、（Ｂ）は側面図である。
【符号の説明】
【００９５】
１０      画像形成装置
１１      画像形成部
１２      画像形成装置本体（装置本体）
８０      開口部
８２      第一開閉扉（一方の開閉部）
８６      第二開閉扉（他方の開閉部）
１００      スイッチ機構
１０２      インターロックスイッチ（スイッチ）
１２０      遮蔽部材
１２２      圧縮コイルバネ（付勢手段）
１３０      案内部
１４０      操作部
２００      スイッチ機構
２２０      遮蔽部材
２２２      上板（第二遮蔽部）
２２４      前板（第一遮蔽部）
２２８      孔
２４０      操作部
２４６      軸部
２４４      操作板（スイッチ操作部）
３００      スイッチ機構
３０２      インターロックスイッチ（スイッチ）
３２０      遮蔽部材
３３０      案内部
３４０      操作部
３４３      上腕部（被案内部）
３４４      下腕部（スイッチ操作部）
Ｐ      記録用紙（記録媒体）
【図１】
0005157297.tif 000002
【図２】
0005157297.tif 000003
【図３】
0005157297.tif 000004
【図４】
0005157297.tif 000005
【図５】
0005157297.tif 000006
【図６】
0005157297.tif 000007
【図７】
0005157297.tif 000008
【図８】
0005157297.tif 000009
【図９】
0005157297.tif 000010
【図１０】
0005157297.tif 000011
【図１１】
0005157297.tif 000012
【図１２】
0005157297.tif 000013
【図１３】
0005157297.tif 000014
【図１４】
0005157297.tif 000015
【図１５】
0005157297.tif 000016
【図１６】
0005157297.tif 000017
【図１７】
0005157297.tif 000018